(57)【特許請求の範囲】
【請求項１】
放送音声を無線により送信する無線装置を有する複数の親局と、前記親局から送信された放送音声を出力する端末局と、前記複数の親局を管理する管理装置と、を備えた通信システムにおいて、
前記複数の親局は、放送音声の送信時刻を前記管理装置に通知する親局側通信手段と、前記送信時刻を管理する時刻情報管理手段とを有し、
前記管理装置は、前記複数の親局から通知された放送音声の送信時刻に基づいて、前記複数の親局間で放送音声を送信する時間帯の重複が回避されるように放送音声の送信時刻を調整する調整手段と、前記調整手段による調整後の放送音声の送信時刻を前記親局へ通知する管理側通知手段を有し、
前記親局は、前記管理装置の前記管理側通知手段から通知された調整後の放送音声の送信時刻を前記親局側通信手段が受信し、当該送信時刻を前記時刻情報管理手段が設定し、当該送信時刻の到来を契機に前記無線装置が放送音声を端末局に無線により送信する、
ことを特徴とする通信システム。
【請求項２】
請求項１に記載の通信システムにおいて、
前記管理装置は、前記複数の親局毎に隣接関係にある他の親局を特定する情報を記憶する記憶手段を更に有し、
前記調整手段は、前記記憶手段の記憶内容に基づいて、無線通信エリアが隣接する親局間について、放送音声を送信する時間帯の重複が回避されるように放送音声の送信時刻を調整する、
ことを特徴とする通信システム。
【請求項３】
請求項１又は請求項２に記載の通信システムにおいて、
前記親局側通信手段は、更に、放送音声の長さを前記管理装置に通知し、
前記調整手段は、前記複数の親局から通知された放送音声の送信時刻及び長さに基づいて、親局間で放送音声を送信する時間帯の重複が回避されるように放送音声の送信時刻を調整する、
ことを特徴とする通信システム。
【発明の詳細な説明】
【技術分野】
【０００１】
本発明は、親局から無線により送信された放送音声を子局（端末局）が受信して録音し、所定の時刻に再生出力する通信システムに関する。
【背景技術】
【０００２】
近年、自治体内の各地区の自治会が、その地区内の住民に種々の情報を伝達するために、各家庭に戸別受信機を設置しておき、地区放送の親局から無線により送信される放送音声を戸別受信機で受信して録音し、所定の時刻になると再生してスピーカ出力する地区放送システムが構築されている。
【０００３】
また、例えば、市区町村における防災に関する複数の同報系システムを統合部により統合した通信システムに関し、統合部から各同報系システムへの一斉通報を効率的に行う通信システムなども提案されている（特許文献１参照）。
【先行技術文献】
【特許文献】
【０００４】
【特許文献１】特開２００６−３３９７１２号公報
【発明の概要】
【発明が解決しようとする課題】
【０００５】
ここで、複数の地区放送システムが隣接して存在する場合には、各々のサービスエリア（各親局の無線通信エリア）の境界付近にエリアの重複が生ずる。このような環境において、隣接する地区放送システムの各親局から放送音声が同じ時間帯で無線送信されると、サービスエリアが重複する範囲内に設置された戸別受信機（例えば、地区Ａの親局と地区Ｂの親局の両方から放送音声を受信できるエリアに存在する戸別受信機）では、互いの放送音声の電波によってオーバーリーチと呼ばれる電波干渉が発生してしまい、放送音声の受信及び録音を適切に行うことができない。
【０００６】
本発明は、上記のような事情に鑑みて為されたものであり、異なる親局から同じ時間帯に無線送信された互いの放送音声の電波によって端末局で電波干渉が発生することを防止可能な技術を提案することを目的とする。
【課題を解決するための手段】
【０００７】
上記目的を達成するために、本発明では、以下のように通信システムを構成した。
すなわち、本発明に係る通信システムでは、放送音声を無線により送信する親局と、親局から送信された放送音声を録音して所定の時刻に再生出力する端末局と、複数の親局を管理する管理装置と、を備え、親局に、放送音声の送信時刻を管理装置に通知する親局側通知手段を設け、管理装置に、複数の親局から通知された放送音声の送信時刻に基づいて、親局間で放送音声を送信する時間帯の重複が回避されるように放送音声の送信時刻を調整する調整手段と、調整後の放送音声の送信時刻を親局へ通知する管理側通知手段を設け、親局は、管理装置から通知された調整後の放送音声の送信時刻の到来を契機に放送音声を端末局に送信するようにした。
【０００８】
このような構成によれば、各親局からそれぞれ異なる時間帯に放送音声が無線送信されるので、各親局の無線通信エリアが重複する範囲に存在する端末局における電波干渉の発生を防止することができる。
【０００９】
ここで、管理装置に、親局毎の無線通信エリアの情報を記憶する記憶手段を更に設け、調整手段が、記憶手段の記憶内容に基づいて、無線通信エリアが隣接する親局間について、放送音声を送信する時間帯の重複が回避されるように放送音声の送信時刻を調整するように構成してもよい。これにより、放送音声の送信時刻の調整が必須な親局間に限定して調整を行うことができ、効率的である。
【００１０】
また、親局側通知手段が、更に、放送音声の長さを管理装置に通知し、調整手段が、複数の親局から通知された放送音声の送信時刻及び長さに基づいて、親局間で放送音声を送信する時間帯の重複が回避されるように放送音声の送信時刻を調整するように構成してもよい。これにより、放送音声の送信時刻の調整を、放送音声の長さを考慮して効果的に行うことができる。
【発明の効果】
【００１１】
本発明によれば、各親局からそれぞれ異なる時間帯に放送音声が無線送信されるので、各親局の無線通信エリアが重複する範囲に存在する端末局における電波干渉の発生を防止することができる。
【図面の簡単な説明】
【００１２】
【図１】本発明の一実施形態に係る通信システムの構成の例を示す図である。
【図２】本例に係る同報系親局と地区放送親局の機能ブロックの例を示す図である。
【図３】本例に係る地区放送音声の送信時刻（無音予約録音放送を行う時刻）の設定変更に関する処理シーケンスの例を示す図である。
【図４】本例に係る無音予約録音放送及び指定時間放送に関する処理シーケンスの例を示す図である。
【図５】従来技術に係る無音予約録音放送及び指定時間放送の例を示す図である。
【図６】本例に係る無音予約録音放送及び指定時間放送の例を示す図である。
【発明を実施するための形態】
【００１３】
本発明の一実施形態について、図面を参照して説明する。
図１には、本発明の一実施形態に係る通信システムの構成の例を示してある。
本例の通信システムは、複数の地区で構成される自治体において種々の情報を住民に伝達するものであり、大別して、自治体内の全域（全ての地区）又は一部地区の全住民に宛てた放送（同報放送）の発信を目的とした同報系設備と、地区毎に設けられ、その地区内の住民に宛てた放送（地区放送）の発信を目的とした地区放送（地域振興）設備とで構成される。本例では、複数であるＮ個の地区（自治会）で構成された自治体についてＮ個の地区放送（地域振興）設備が設けられている。
【００１４】
本例の同報系設備は、１台の同報系親局１１で構成された親局設備と、地区毎に設けられた複数台の同報系子局１２で構成された子局設備を有する。同報系親局１１と同報系子局１２との間の無線通信は、例えば、６０ＭＨｚのデジタル信号を用いて行われる。
【００１５】
本例の地区放送（地域振興）設備は、地区毎に、地区放送親局２１及び無線装置２４で構成された地区放送親局設備と、該当地区の各家庭に設けられた複数台の戸別受信機（端末局）２６で構成された戸別受信設備を有する。また、必要に応じて、１台以上の中継装置２４で構成された中継設備が設けられる。なお、中継装置２４を有する地区の地区放送親局２１による地区放送音声のサービスエリアは、地区放送親局２１の無線通信エリアに各中継装置２４の無線通信エリアを加えた範囲となる。無線装置２３、中継装置２５、戸別受信機２６の各装置間の無線通信は、例えば、４００Ｍｈｚのデジタルセレコール信号を用いて行われる。
【００１６】
地区放送（地域振興）設備に設けられた地区放送親局２１は、扱者（人）からの操作を受け付ける放送卓２２や、放送卓２２を遠隔的に操作するための遠隔操作装置２３などで構成される。遠隔操作装置２３には公衆回線網を介して電話端末３１を通信可能に接続することができ、電話端末３１の扱者は、遠隔操作装置２３を通じて遠隔的に放送卓２２を操作できる。
【００１７】
ここで、地区放送親局設備（地区放送親局２１及び無線装置２４）は、地区放送を戸別受信設備（戸別受信機２６）へ発信する役割の他に、同報系設備の親局設備（同報系親局１１）から発信された同報放送を戸別受信（端末局）設備（戸別受信機２６）へ中継する役割も担っている。なお、地区放送親局設備（地区放送親局２１及び無線装置２４）は、例えば、同報系設備の子局設備（同報系子局１２）と同一敷地内に設置され、互いに通信可能にケーブル等で接続される。
【００１８】
同報系親局１１から同報放送を行う場合の概略的な流れを説明する。
扱者（人）が同報系親局１１を操作して同報放送の音声（及び放送時刻の指定）を入力すると、その同報放送音声は各地区の子局設備１２へ無線送信される。子局設備１２により受信された同報放送音声は、地区放送親局２１の放送卓２２を通じて無線装置２４へ受け渡され、無線装置２４から（必要に応じて中継装置２５を中継して）戸別受信機２６へ無線送信される。なお、放送時刻の指定を伴う同報放送音声については、放送卓２２内のメモリに記憶され、指定された放送時刻の到来を契機に読み出されて無線装置２４へ受け渡される。戸別受信機２６により受信された同報放送音声は、戸別受信機２６のスピーカから音声出力される。
【００１９】
地区放送を行う場合の概略的な流れを説明する。
或る地区において、扱者（人）が地区放送親局２１の放送卓２２を直接又は遠隔的に操作して地区放送の音声（及び放送時刻の指定）を入力すると、その地区放送音声は無線装置２４へ受け渡され、無線装置２４から（必要に応じて中継装置２５を中継して）戸別受信機２６へ無線送信される。戸別受信機２６により受信された地区放送音声は、内部のメモリに録音される。なお、戸別受信機２６における地区放送音声の録音は、音声出力を伴わない無音録音である。
【００２０】
戸別受信機２６により録音された地区放送音声は、予め設定された放送時刻（又は扱者に指定された放送時刻）の到来を契機に再生されて、戸別受信機２６のスピーカから音声出力される。本例では、地区放送親局２１が放送時刻の到来を検出して戸別受信機２６へ放送指示を送信し、戸別受信機２６が放送指示の受信に応じて地区放送音声を再生出力するようにしてあるが、例えば、地区放送親局２１が放送時刻を予め戸別受信機２６に通知しておき、戸別受信機２６が放送時刻の到来を自律的に検出して地区放送音声を再生出力するようにしてもよい。
【００２１】
ここで、本例の地区放送音声は、放送卓２２の扱者により入力された際に直ちに戸別受信機２６へ無線送信されるのではなく、放送卓２２内のメモリに記憶され、予め設定された送信時刻の到来を契機に読み出されて無線装置２４へ受け渡され、無線装置２４から（必要に応じて中継装置２５を中継して）戸別受信機２６へ無線送信される仕組みになっている。
以下では、適宜、地区放送親局２１から出力する地区放送音声（戸別受信機２６に無音録音させる地区放送音声）を無音予約録音放送と呼び、戸別受信機２６から出力する地区放送音声（戸別受信機２６にて再生出力される地区放送音声）を指定時間放送と呼ぶ。
【００２２】
地区放送音声の送信時刻（無音予約録音放送を行う時刻）は、基本的に、各地区に地区放送親局２１や無線装置２４といった地区放送親局設備を設置する際に、隣接する地区との間で地区放送音声を送信する時間帯（無音予約録音放送を行う時間帯）が重複しないように設定され、放送卓２２内のメモリに記憶されており、各地区の放送卓２２の扱者が適宜に設定変更できるようにしてある。
ここで、地区放送親局２１の扱者は、自身が所属する地区以外の地区（特に、隣接する地区）における地区放送音声の送信時刻（無音予約録音放送を行う時刻）を考慮しない場合があり、この場合、隣接する地区との間で送信時間帯が重複する設定がなされ得る。その結果、戸別受信機２６の設置位置によっては電波干渉が生じかねない。
【００２３】
そこで、本例の通信システムでは、各地区の地区放送親局設備（地区放送親局２１及び無線装置２４）の上位側に位置する同報系設備の親局設備（同報系親局１１）にて各地区の地区放送音声の送信時刻（無音予約録音放送を行う時刻）を収集して管理することで、その設定変更に伴う送信時間帯の重複の回避をして、戸別受信設備（戸別受信機２６）における電波干渉の発生の防止を図る。
【００２４】
図２には、同報系親局１１と地区放送親局２１（特に、放送卓２２）の機能ブロックの例を示してある。
本例の同報系親局１１は、同報系子局１２を通じて各地区の地区放送親局２１と通信する通信部４１、各地区の地区放送親局２１から収集した地区放送音声の送信時刻（無音予約録音放送を行う時刻）を管理する時刻情報管理テーブル４２、各地区の地区放送親局２１による地区放送音声のサービスエリアを管理するエリア管理テーブル４３、各地区の地区放送親局２１による地区放送音声の送信時刻（無音予約録音放送を行う時刻）を調整する送信時刻調整部４４、等を有する。
【００２５】
また、本例の地区放送親局２１は、同報系子局１２を通じて同報系親局１１と通信する通信部５１、扱者（人）からの操作を受け付ける操作受付部５２、地区放送音声の送信時刻（無音予約録音放送を行う時刻）を管理する時刻情報管理部５３、入力された地区放送音声を録音する地区放送録音部５４、地区放送音声を戸別受信機２６へ配信（送信）する地区放送配信部５５、等を有する。
【００２６】
各地区の地区放送親局２１は、扱者によって直接又は遠隔的に放送卓２２を操作して入力された地区放送音声を操作受付部５２により受け付けると、当該地区放送音声を地区放送録音部５４に録音する。そして、時刻情報管理部５３に設定されている地区放送音声の送信時刻（無音予約録音放送を行う時刻）の到来を契機に、地区放送録音部５４に録音されている地区放送音声を地区放送配信部５５により戸別受信機２６へ配信（送信）する。  
【００２７】
また、各地区の地区放送親局２１は、扱者によって直接又は遠隔的に放送卓２２を操作して入力された地区放送音声の送信時刻（無音予約録音放送を行う時刻）の変更要求を操作受付部５２により受け付けると、時刻情報管理部５３に設定してある送信時刻を扱者に指定された送信時刻に直ちに変更するのではなく保留しておき、自己（地区放送親局２１）の識別情報及び変更予定の送信時刻（扱者に指定された送信時刻）を格納した変更要求情報を通信部５１により同報系親局１１へ送信して、同報系親局１１から設定変更の許可を待つ。なお、本例の通信システムでは、地区放送音声の長さ（時間長）を１０分以内にすることが規定されており、変更予定の送信時刻は１０分刻みで扱者に指定される。
【００２８】
同報系親局１１は、地区放送親局２１から送信された変更要求情報を受信すると、送信時刻調整部４４による制御の下で、時刻情報管理テーブル４２を参照して、当該変更要求情報中の変更予定の送信時刻と他の地区の地区放送親局２１による地区放送音声の送信時刻との重複を判定する。ここで、本例の時刻情報管理テーブル４２には、各地区放送親局２１の識別情報に対応付けて送信時刻が１０分刻みで設定してあり、変更要求情報中の識別情報以外の識別情報が対応付けられた送信時刻（他の地区の地区放送親局２１が無音予約録音放送を行う時刻）の中に変更予定の送信時刻と一致するものが存在するかを調べることで重複判定を行う。
【００２９】
そして、重複が生じないと判定された場合には、対象の地区放送親局２１（変更要求情報の送信元の地区放送親局２１）について時刻情報管理テーブル４２に設定されている送信時刻（変更要求情報中の識別情報に対応付けて設定されている送信時刻）を変更予定の送信時刻に変更し、設定変更を許可する旨の変更応答情報を通信部４１により対象の地区放送親局２１へ送信する。設定変更を許可する旨の変更応答情報を受信した対象の地区放送親局２１は、時刻情報管理部５３における送信時刻（無音予約録音放送を行う時刻）の設定を、保留しておいた変更予定の送信時刻（扱者に指定された送信時刻）に変更する。
【００３０】
一方、重複が生ずると判定された場合には、変更予定の送信時刻に最も近く且つ重複が生じない時間帯を探し出して、当該時間帯に対象の地区放送親局２１から地区放送音声が送信される（対象の地区放送親局２１によって無音予約録音放送が行われる）ように送信時刻を調整し、対象の地区放送親局２１について時刻情報管理テーブル４２に設定されている送信時刻（変更要求情報中の識別情報に対応付けられた送信時刻）を調整後の送信時刻に変更し、また、調整後の送信時刻を格納した変更応答情報を通信部４１により対象の地区放送親局２１へ送信する。調整後の送信時刻を格納した変更応答情報を受信した対象の地区放送親局２１は、時刻情報管理部５３における送信時刻の設定を、同報系親局１１による調整後の送信時刻に変更する。
【００３１】
ここで、本例の同報系親局１１の送信時刻調整部４４は、エリア管理テーブル４３を参照して、地区放送音声のサービスエリアが対象の地区放送親局２１と隣接する地区を特定し、当該特定した地区の地区放送親局２１のみについて送信時刻（無音予約録音放送を行う時刻）の重複判定及び調整を行うようにしている。すなわち、地区放送音声の送信時刻の重複が問題となる範囲を絞って重複判定及び調整を行うことで、処理の効率化を図っている。なお、地区の数が少ない場合などでは、全ての地区ついて重複判定及び調整を行なっても構わない。
【００３２】
また、本例のエリア管理テーブル４３では、地区放送音声のサービスエリアが隣接関係にある２つの地区放送親局２１の組み合わせ毎に各々の地区放送親局２１の識別情報を対応付けて管理しているが、地区放送親局２１毎に隣接関係にある他の地区放送親局２１を特定できればよく、例えば、各地区放送親局２１による地区放送音声のサービスエリアを地図上にマッピングして管理し、サービスエリアの隣接関係を地図上の位置関係から特定する等の他の手法を用いてもよい。
【００３３】
また、本例では、同報系親局１１の扱者による指示に応じて、同報系親局１１が、変更要求情報の送信を各地区放送親局２１に求め、１以上の地区放送親局２１から変更要求情報を受信した場合に、受信した変更要求情報に基づいて送信時刻の重複判定及び調整を行うように構成しているが、このような構成に限定するものではなく、同報系親局１１が各地区放送親局２１から変更要求情報を収集して送信時刻の重複判定及び調整を行えればよい。すなわち、例えば、同報系親局１１が、予め定められた収集時刻の到来時に変更要求情報の送信を各地区放送親局２１に求めてもよい。また、例えば、地区放送親局２１が、扱者により地区放送音声の送信時刻の変更要求がなされたことに応じて、変更要求情報を同報系親局１１に送信するようにしてもよい。
【００３４】
図３には、地区放送音声の送信時刻（無音予約録音放送を行う時刻）の設定変更に関する処理シーケンスの例を示してある。（ａ）は、変更許可時の処理シーケンスの例であり、（ｂ）は、変更不許可時の処理シーケンスの例である。
【００３５】
図３（ａ）を参照して変更許可時の処理シーケンスについて説明する。
地区放送親局２１は、扱者から地区放送音声の送信時刻（無音予約録音放送を行う時刻）の変更要求を受け付けると（Ｔ１１）、変更予定の送信時刻（扱者に指定された送信時刻）等を格納した変更要求情報を、当該地区放送親局２１に接続された同報系子局１２へ受け渡す（Ｔ１２）。
同報系子局１２は、地区放送親局２１から受け渡された変更要求情報を、信号フォーマットを変換して同報系親局１１へ無線送信する（Ｔ１３）。
同報系親局１１は、変更要求情報を受信すると、当該変更要求情報中の変更予定の送信時刻と対象の地区放送親局２１（変更要求情報の送信元の地区放送親局２１）にサービスエリアが隣接する地区放送親局２１による地区放送音声の送信時刻（無音予約録音放送を行う時刻）との重複を判定し、重複が生じないと判定した場合に、設定変更を許可し（Ｔ１４）、設定変更を許可する旨の変更応答情報を対象の地区放送親局２１宛てに無線送信する（Ｔ１５）。
同報系子局１２は、当該同報系子局１２に接続された地区放送親局２１に宛てた変更応答情報を受信すると、信号フォーマットを変換して対象の地区放送親局２１へ受け渡す（Ｔ１６）。
設定変更を許可する旨の変更応答情報を受信した地区放送親局２１は、変更予定の送信時刻に設定を書き換える（Ｔ１７）。
【００３６】
図３（ｂ）を参照して変更不許可時の処理シーケンスについて説明する。
地区放送親局２１は、扱者から地区放送音声の送信時刻（無音予約録音放送を行う時刻）の変更要求を受け付けると（Ｔ２１）、変更予定の送信時刻（扱者に指定された送信時刻）等を格納した変更要求情報を、当該地区放送親局２１に接続された同報系子局１２へ受け渡す（Ｔ２２）。
同報系子局１２は、地区放送親局２１から受け渡された変更要求情報を、信号フォーマットを変換して同報系親局１１へ無線送信する（Ｔ２３）。
同報系親局１１は、変更要求情報を受信すると、当該変更要求情報中の変更予定の送信時刻と対象の地区放送親局２１（変更要求情報の送信元の地区放送親局２１）にサービスエリアが隣接する地区放送親局２１による地区放送音声の送信時刻（無音予約録音放送を行う時刻）との重複を判定し、重複が生じると判定した場合に、その重複が回避されるように変更予定の送信時刻を調整し（Ｔ２４）、調整後の送信時刻を格納した変更応答情報を対象の地区放送親局２１宛てに無線送信する（Ｔ２５）。
同報系子局１２は、当該同報系子局１２に接続された地区放送親局２１に宛てた変更応答情報を受信すると、信号フォーマットを変換して対象の地区放送親局２１へ受け渡す（Ｔ２６）。
調整後の送信時刻を格納した変更応答情報を受信した地区放送親局２１は、同報系親局１１による調整後の送信時刻に設定を書き換える（Ｔ２７）。
【００３７】
次に、図４を参照して、無音予約録音放送及び指定時間放送の流れを説明する。
図４には、無音予約録音放送及び指定時間放送に関する処理シーケンスの例を示してある。
扱者が電話端末３１をオフフックし、地区放送親局２１に割り当てられたダイヤルを押下すると（Ｔ４１）、電話端末３１により地区放送親局２１が呼び出され（Ｔ４２）、地区放送親局２１から応答信号が返信されて（Ｔ４３）、電話端末３１と地区放送親局２１との呼接続が確立される。
その後、地区放送親局２１から、地区放送親局２１を遠隔操作する作法を説明する音声ガイダンスが送信され、電話端末３１により音声出力される（Ｔ４４）。
そして、扱者が地区放送音声の録音に割り当てられたダイヤルを押下すると（Ｔ４５）、その信号は電話端末３１から地区放送親局２１へ送信される（Ｔ４６）。これに応答して、地区放送親局２１から、地区放送音声の録音を開始する旨の音声ガイダンスが送信され、電話端末３１により音声出力される（Ｔ４７）。
【００３８】
そして、扱者が地区放送音声を入力すると、この地区放送音声は電話端末３１から地区放送親局２１へ送信され、地区放送親局２１により録音される（Ｔ４８）。
その後、扱者が地区放送音声の録音の終了に割り当てられたダイヤルを押下すると（Ｔ４９）、その信号は電話端末３１から地区放送親局２１へ送信される（Ｔ５０）。これに応答して、地区放送親局２１から、地区放送音声の録音を終了した旨の音声ガイダンスが送信され、電話端末３１により音声出力される（Ｔ５１）。
そして、扱者が電話端末３１をオンフックすると（Ｔ５２）、電話端末３１と地区放送親局２１との呼接続が切断される（Ｔ５３）。
【００３９】
また、地区放送親局２１は、地区放送音声の送信時刻（無音予約録音放送を行う時刻）の到来を検出すると、無線装置２４（及び中継装置２５）を介して、録音の自動起動を指示する起動信号を戸別受信機２６へ送信し（Ｔ６１）、地区放送親局２１に録音しておいた地区放送音声を無音予約録音放送として送信して戸別受信機２６に録音させ（Ｔ６２）、終話を知らせる終話信号を送信して戸別受信機２６に録音を終了させる（Ｔ６３）。
また、地区放送親局２１は、地区放送音声の放送時刻（指定時間放送を行う時刻）の到来を検出すると、無線装置２４（及び中継装置２５）を介して、放送の自動起動を指示する起動信号を戸別受信機２６へ送信する（Ｔ６４）。これにより、戸別受信機２６は、録音しておいた地区放送音声を再生して指定時間放送としてスピーカ出力する。
ここで、本例では、地区放送親局２１から戸別受信機２６へ送信する各種の起動信号としてＭＳＫ（Ｍｉｎｉｍｕｍ  Ｓｈｉｆｔ  Ｋｅｙｉｎｇ）を用いているが、トーン信号等の区切り信号を用いてもよい。
【００４０】
図５には、従来技術に係る無音予約録音放送及び指定時間放送の例を示してある。また、図６には、本例に係る無音予約録音放送及び指定時間放送の例を示してある。なお、図５及び図６において、（ａ）は、Ａ地区における無音予約録音放送及び指定時間放送の例であり、（ｂ）は、Ａ地区に隣接するＢ地区における無音予約録音放送及び指定時間放送の例である。
【００４１】
従来技術では、Ｂ地区における地区放送音声の送信時刻（無音予約録音放送を行う時刻）の設定変更において、Ａ地区と同じである９：００に設定する旨が扱者により入力されると、図５に示すように、入力された送信時刻がそのまま設定されてしまい、この結果、Ａ地区の地区放送親局２１とＢ地区の地区放送親局２１とで同じ時刻（９：００）に地区放送音声（無音予約録音放送）の送信が開始されることになる。このため、これらの地区放送親局２１の双方から電波を受信できるエリアに存在する戸別受信機２６において、電波干渉が生ずるおそれがある。
【００４２】
これに対し、本例の無線通信システムでは、Ｂ地区における地区放送音声の送信時刻（無音予約録音放送を行う時刻）の設定変更において、Ａ地区と同じである９：００に設定する旨が扱者により入力されたとしても、各地区の地区放送親局２１の上位側に位置する同報系親局１１にて、隣接する地区間で地区放送音声を送信する時間帯の重複が回避されるように、入力された送信時刻に調整が施される。この調整の結果、図６に示すように、Ｂ地区の地区放送親局２１は１０：００に地区放送音声（無音予約録音放送）の送信を開始することになる。このため、これらの地区放送親局２１の双方から電波を受信できるエリアに存在する戸別受信機２６でも、電波干渉が生じない。
【００４３】
以上のように、本例では、地区放送親局２１が、地区放送音声の送信時刻を同報系親局１１に通知（送信）し、同報系親局１１が、各地区放送親局２１から通知された地区放送音声の送信時刻に基づいて、地区放送親局２１間における地区放送音声の送信時間帯の重複の有無を判定し、重複が生ずる場合には、その重複が回避されるように地区放送音声の送信時刻を調整し、当該調整後の送信時刻を地区放送親局２１へ通知（送信）し、地区放送親局２１が、同報系親局１１から通知された調整後の送信時刻の到来を契機に放送音声を戸別受信機２６へ送信するようにした。
【００４４】
ここで、本例では、地区放送音声の長さ（時間長）を固定的に扱って処理（１０分刻みで処理）を行っているが、地区放送親局２１の扱者によって入力された地区放送音声の実際の長さを考慮して、地区放送音声の送信時間帯の重複判定及び調整を行うようにしてもよい。この場合には、各地区放送親局２１は、地区放送音声の送信時刻の通知に加え、入力された地区放送音声の長さを検出して同報系親局１１へ通知し、同報系親局１１が、各地区放送親局２１から通知された地区放送音声の送信時刻及び長さに基づいて、地区放送親局２１間における地区放送音声の送信時間帯の重複の有無を判定し、重複が生ずる場合には、その重複が回避されるように地区放送音声の送信時刻を調整すればよい。
【００４５】
また、同報系親局１１による同報放送音声を考慮して、重複判定及び調整を行うようにしてもよい。すなわち、同報放送音声を送信する時間帯を除外した時間帯について、地区放送音声の送信時間帯の重複判定及び調整を行うようにする。このような構成は、地区放送音声より同報放送音声の方の優先度が高い場合などで効果的である。
なお、放送時刻が予め定められていない同報放送音声（例えば、災害時等の避難指示を伝える緊急的な同報放送音声など）が同報系親局１１から送出された場合には、各地区放送親局２１は、地区放送音声の送信時刻であっても同報放送音声を優先して戸別受信機２６へ送信し、同報放送音声の送信が終了した後に、本来の送信予定であった地区放送音声の送信を行なうようにしてもよい。
【００４６】
また、本例では、各地区放送親局２１の上位側に位置する同報系親局１１が、各地区放送親局２１から地区放送音声の送信時刻を収集して重複判定及び調整を行っているが、他の装置が、このような重複判定及び調整を行うようにしてもよい。すなわち、例えば、公衆回線網を介して各地区放送親局２１との通信を行える管理装置３２（図１参照）を設け、当該管理装置３２が、各地区放送親局２１から地区放送音声の送信時刻を収集して重複判定及び調整を行うようにしてもよい。
【００４７】
ここで、本発明に係るシステムや装置などの構成としては、必ずしも以上に示したものに限られず、種々な構成が用いられてもよい。例えば、上述した実施例では、端末局が戸別受信機２６である場合を例にあげたが、端末局は戸別受信機に限定されるものではなく、無線装置２４あるいは中継装置２５から送信された無線信号を受信できるものであればよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウェア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウェア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４８】
１１：同報系親局、  １２：同報系子局、  ２１：地区放送親局、  ２２：放送卓、  ２３：遠隔操作装置、  ２４：無線装置、  ２５：中継装置、  ２６：戸別受信機、  ３１：電話端末、  ３２：管理装置
４１：通信部、  ４２：時刻情報管理テーブル、  ４３：エリア管理テーブル、  ４４：送信時刻調整部４４、
５１：通信部、  ５２：操作受付部、  ５３：時刻情報管理部、  ５４：地区放送録音部、  ５５：地区放送配信部
【図１】
0005979891.tif 000002
【図２】
0005979891.tif 000003
【図３】
0005979891.tif 000004
【図４】
0005979891.tif 000005
【図５】
0005979891.tif 000006
【図６】
0005979891.tif 000007